(57)【要約】【課題】ＢＦタイプのＡＣ電源コンセントであっても容易にシャッターを開くことが可能であり、かつ、他のタイプのＡＣ電源コンセントにも使用可能なプラグ変換アダプタを提供する。【解決手段】一対の電極ピン１Ａ，１Ｂと平行に伸びた一対のシャッター開放ピン２Ａ，２Ｂを第１ケーシング１０の外部に突出させた状態とし、一対のシャッター開放ピン２Ａ，２Ｂをその位置に固定できるため、ＢＦタイプのＡＣ電源コンセントのシャッターを容易に開放できる。また、一対のシャッター開放ピン２Ａ，２Ｂを第１ケーシング１０の内部に収めた状態とし、一対のシャッター開放ピン２Ａ，２Ｂをその位置に固定できるため、他のタイプのＡＣ電源コンセントにも使用できる。【選択図】図４
2015076209.tif 000002
【特許請求の範囲】
【請求項１】
所定のタイプのプラグを複数の別タイプのプラグに変換可能なプラグ変換アダプタであって、
前記所定のタイプのプラグを受け入れるソケットが設けられた第１ケーシングと、
前記第１ケーシングから平行に突出し、前記別タイプのプラグの少なくとも一部を構成する一対の電極ピンと、
前記一対の電極ピンと平行に伸びた一対のシャッター開放ピンと、
前記一対のシャッター開放ピンと接続され、前記一対の電極ピンと平行な方向へ移動し得るように前記第１ケーシングに配置された第１可動部材と、
前記一対のシャッター開放ピンが前記第１ケーシングの外部に突出した状態となる第１の位置にある場合、及び、前記一対のシャッター開放ピンが前記第１ケーシングの内部に収まった状態となる第２の位置にある場合において、前記第１可動部材を前記第１ケーシングに解除可能に固定する固定部材と
を有するプラグ変換アダプタ。
【請求項２】
前記第１可動部材は、前記固定部材と嵌合し、前記第１可動部材から離れる方向への前記固定部材の移動を案内する嵌合部を有し、
前記固定部材は、前記第１可動部材から最も離れた先端部に比べて幅広に形成された幅広部を有し、
前記第１ケーシングは、
前記一対の電極ピンと平行な方向に伸び、前記固定部材の前記先端部の貫通を許容しつつ前記幅広部の貫通を阻止する長孔と、
前記第１可動部材が前記第１の位置にある場合において前記固定部材の前記幅広部と当接することにより、前記第１可動部材が前記第２の位置へ移動することを妨げる第１段差と、
前記第１可動部材が前記第２の位置にある場合において前記固定部材の前記幅広部と当接することにより、前記第１可動部材が前記第１の位置へ移動することを妨げる第２段差と
を有し、
前記先端部が前記長孔を貫通するとともに、前記幅広部が前記長孔の縁に当接する方向へ向かって前記固定部材を付勢する第１弾性部材を有する、
請求項１に記載のプラグ変換アダプタ。
【請求項３】
前記第１可動部材の前記嵌合部は、前記一対の電極ピンの間に位置しており、
前記第１ケーシングは、前記一対の電極ピンの間において前記嵌合部を挟んで前記一対の電極ピンと平行に伸び、前記一対の電極ピンと平行な方向における前記嵌合部の移動を案内する一対の壁部を有する、
請求項２に記載のプラグ変換アダプタ。
【請求項４】
前記一対の電極ピンとともに前記別タイプのプラグを構成するアース差込口用ピンを備えた第２ケーシングを有し、
前記第１ケーシングは、前記長孔が形成される面と対向する面において前記第２ケーシングを着脱自在に装着する装着部を有する
請求項２又は３に記載のプラグ変換アダプタ。
【請求項５】
前記一対の電極ピンをそれぞれ保持し、前記一対の電極ピンの平行を保ったまま前記一対の電極ピンの間隔を変化させる方向へ移動し得るように前記第１ケーシングに配置された一対の第２可動部材と、
前記一対の第２可動部材を互いに離間する方向へ付勢する第２弾性部材と
を有し、
前記第１ケーシングは、
前記一対の電極ピンが一定の可動範囲を超えて離間しないように前記一対の第２可動部材をそれぞれ係止する一対の係止部と、
前記第２弾性部材の付勢方向における前記一対の第２可動部材の端部をそれぞれ外部に露出させる一対の開口部と
を有し、
前記一対のシャッター開放ピンは、前記一対の電極ピンの前記可動範囲より外側に配置される、
請求項１乃至４のいずれか一項に記載のプラグ変換アダプタ。
【発明の詳細な説明】
【技術分野】
【０００１】
本発明は、例えばＡＣ電源コンセントに挿入するプラグなど、所定のタイプのプラグを別タイプのプラグに変換するために用いられるプラグ変換アダプタに関するものである。
【背景技術】
【０００２】
世界には様々なタイプのＡＣ電源コンセントが存在しているため、国内の電化製品を海外で使用する場合には、その国のＡＣ電源コンセントと適合するようにプラグを変換するアダプタが必要となる。下記の特許文献１には、海外の様々な規格のＡＣ電源コンセント（ＢＦ，Ｂ３，Ｂ，Ｃ，ＳＥ，Ｏ）と適合するように電極ピンの形状や配置，数などを変換できる海外コンセント用アダプタが記載されている。
【先行技術文献】
【特許文献】
【０００３】
【特許文献１】特許第３９４６４９１号公報明細書
【発明の概要】
【発明が解決しようとする課題】
【０００４】
上述した特許文献１に記載されるアダプタは、電極差込口の間隔が異なる様々なタイプのＡＣ電源コンセントと適合するように、電極ピン（プラグ端子）の間隔を調節できる構造となっている。一対の電極ピンは、例えば、アダプタのケース内部に設けられた一対のスライド部材に接続される。一対のスライド部材は、バネなどによって互いに離れる方向に付勢されている。一対のスライド部材の端部は、ケースの両側に開いた孔から押ボタンとして外部に突出している。この一対の押ボタンをバネ等の付勢力に逆らって押すことにより、一対の電極ピンの間隔を狭めることができる。
【０００５】
他方、海外のＡＣ電源コンセントの中には、安全のため、電極ピンの差込口をシャッターによって開閉するものがある。例えば、イギリス，香港等で使用されているＢＦタイプのＡＣ電源コンセントは、アース差込口に適当なピンを挿入しなければ、一対の電極ピン差込口のシャッターが開かない構造となっている。
【０００６】
また、ＢＦタイプのＡＣ電源コンセントの中には、上記と異なる仕組みでシャッターを開閉するものがある。すなわち、一対の電極ピンが一対の電極ピン差込口の両隅（互いに最も離れた隅）をシャッターの上から押すことによって、シャッターが開放する仕組みのシャッター構造である。このようなシャッター構造によれば、本来の角柱形状ではない電極ピン（特にＢタイプ，Ｃタイプなどの断面が円形の電極ピン）の誤挿入が防止される。
【０００７】
ところが、一対の電極ピンが一対の電極ピン差込口の両隅を押すことでシャッターが開く構造を有したＡＣ電源コンセント場合、上述した従来のアダプタでは、シャッターを開放させ難いという問題がある。すなわち、一対の電極ピンによって一対の電極ピン差込口の両隅を押そうとしても、従来のアダプタでは一対の電極ピンの間隔が変化し易くなっているため、両隅を適切に押すことが難しい場合がある。
【０００８】
本発明はかかる事情に鑑みてなされたものであり、その目的は、電極ピンの形状が異なる複数タイプのプラグに対応可能であるとともに、一対の電極ピンが一対の電極ピン差込口の両隅を押すことでシャッターが開く構造を有したＡＣ電源コンセントであっても容易にシャッターを開くことが可能なプラグ変換アダプタを提供することにある。
【課題を解決するための手段】
【０００９】
本発明に係るプラグ変換アダプタは、所定のタイプのプラグを複数の別タイプのプラグに変換可能なプラグ変換アダプタであって、前記所定のタイプのプラグを受け入れるソケットが設けられた第１ケーシングと、前記第１ケーシングから平行に突出し、前記別タイプのプラグの少なくとも一部を構成する一対の電極ピンと、前記一対の電極ピンと平行に伸びた一対のシャッター開放ピンと、前記一対のシャッター開放ピンと接続され、前記一対の電極ピンと平行な方向へ移動し得るように前記第１ケーシングに配置された第１可動部材と、前記一対のシャッター開放ピンが前記第１ケーシングの外部に突出した状態となる第１の位置にある場合、及び、前記一対のシャッター開放ピンが前記第１ケーシングの内部に収まった状態となる第２の位置にある場合において、前記第１可動部材を前記第１ケーシングに解除可能に固定する固定部材とを有する。
【００１０】
好適に、前記第１可動部材は、前記固定部材と嵌合し、前記第１可動部材から離れる方向への前記固定部材の移動を案内する嵌合部を有してよい。前記固定部材は、前記第１可動部材から最も離れた先端部に比べて幅広に形成された幅広部を有してよい。前記第１ケーシングは、前記一対の電極ピンと平行な方向に伸び、前記固定部材の前記先端部の貫通を許容しつつ前記幅広部の貫通を阻止する長孔と、前記第１可動部材が前記第１の位置にある場合において前記固定部材の前記幅広部と当接することにより、前記第１可動部材が前記第２の位置へ移動することを妨げる第１段差と、前記第１可動部材が前記第２の位置にある場合において前記固定部材の前記幅広部と当接することにより、前記第１可動部材が前記第１の位置へ移動することを妨げる第２段差とを有してよい。上記プラグ変換アダプタは、前記先端部が前記長孔を貫通するとともに、前記幅広部が前記長孔の縁に当接する方向へ向かって前記固定部材を付勢する第１弾性部材を有してよい。
【００１１】
好適に、前記第１可動部材の前記嵌合部は、前記一対の電極ピンの間に位置してよい。前記第１ケーシングは、前記一対の電極ピンの間において前記嵌合部を挟んで前記一対の電極ピンと平行に伸び、前記一対の電極ピンと平行な方向における前記嵌合部の移動を案内する一対の壁部を有してよい。
【００１２】
好適に、上記プラグ変換アダプタは、前記一対の電極ピンとともに前記別タイプのプラグを構成するアース差込口用ピンを備えた第２ケーシングを有してよい。前記第１ケーシングは、前記長孔が形成される面と対向する面において前記第２ケーシングを着脱自在に装着する装着部を有してよい。
【００１３】
好適に、上記プラグ変換アダプタは、前記一対の電極ピンをそれぞれ保持し、前記一対の電極ピンの平行を保ったまま前記一対の電極ピンの間隔を変化させる方向へ移動し得るように前記第１ケーシングに配置された一対の第２可動部材と、前記一対の第２可動部材を互いに離間する方向へ付勢する第２弾性部材とを有してよい。前記第１ケーシングは、前記一対の電極ピンが一定の可動範囲を超えて離間しないように前記一対の第２可動部材をそれぞれ係止する一対の係止部と、前記第２弾性部材の付勢方向における前記一対の第２可動部材の端部をそれぞれ外部に露出させる一対の開口部とを有してよい。前記一対のシャッター開放ピンは、前記一対の電極ピンの前記可動範囲より外側に配置されてよい。
【発明の効果】
【００１４】
本発明によれば、電極ピンの形状が異なる複数タイプのプラグに対応可能であるとともに、一対の電極ピンが一対の電極ピン差込口の両隅を押すことでシャッターが開く構造を有したＡＣ電源コンセントであっても容易にシャッターを開くことができる。
【図面の簡単な説明】
【００１５】
【図１】本発明の実施形態に係るプラグ変換アダプタの一例を示す図である。図１Ａは正面図を示し、図１Ｂは背面図を示し、図１Ｃは平面図を示し、図１Ｄは底面図を示し、図１Ｅは右側面図を示し、図１Ｆは左側面図を示す。
【図２】図１に示すプラグ変換アダプタを所定のタイプのＡＣ電源コンセントに使用する場合の外観例を示す図である。図２ＡはＡタイプ、図２ＢはＯタイプ、図２ＣはＯ２タイプの場合の外観例をそれぞれ示す。
【図３】図１に示すプラグ変換アダプタをＢタイプ，ＳＥタイプ又はＣタイプのＡＣ電源コンセントに使用する場合の外観例を示す図である。
【図４】図１に示すプラグ変換アダプタをＢＦタイプのＡＣ電源コンセントに使用する場合の外観例を示す図である。
【図５】図１に示すプラグ変換アダプタをＢ３タイプのＡＣ電源コンセントに使用する場合の外観例を示す図である。
【図６】第１ケーシングの一部が取り外された状態を示す斜視図である。図６Ａは一対のシャッター開放ピンが第１ケーシングの内部に収容されている場合を示し、図６Ｂは一対のシャッター開放ピンが第１ケーシングの外部に突出している場合を示す。
【図７】第１ケーシングの内部の構造を示す断面図である。図７Ｂは、一対の電極ピンと平行な面によってそれらの中央を切断した断面の要部であって、一対のシャッター開放ピンが第１ケーシングの外部に突出している場合を示す。図７Ｃは、図７Ｂと同じ断面の要部であって、一対のシャッター開放ピンが第１ケーシングの内部に収容されている場合を示す。図７Ａは、図７ＢにおけるＡ−Ａ線の断面を示す。
【図８】第１ケーシングの一部が取り外された状態を示す平面図である。図８Ａは一対の電極ピンの間隔が最大の場合を示し、図８Ｂは一対の電極ピンの間隔が最小の場合を示す。
【発明を実施するための形態】
【００１６】
図１は、本発明の実施形態に係るプラグ変換アダプタの一例を示す図である。図１Ａは正面図を示し、図１Ｂは背面図を示し、図１Ｃは平面図を示し、図１Ｄは底面図を示し、図１Ｅは右側面図を示し、図１Ｆは左側面図を示す。図１に示すプラグ変換アダプタは、それぞれソケットと電極ピンを備えた２つのケーシング（第１ケーシング１０，第２ケーシング２０）を有する。図１の例では、第１ケーシング１０のソケット７（図６，図８）に第２ケーシング２０の電極ピン２４Ａ，２４Ｂ（図２，図４，図５）が挿入されている。第１ケーシング１０と第２ケーシング２０を図１のように合体させることで、全体のサイズがコンパクトになり、持ち運びが容易となる。
【００１７】
図２〜図５は、図１に示すプラグ変換アダプタを各種タイプのＡＣ電源コンセント（Ａ，Ｏ，Ｏ２，Ｂ，ＳＥ，Ｃ，ＢＦ，Ｂ３）に使用する場合の外観例を示す図である。図２ＡはＡタイプ、図２ＢはＯタイプ、図２ＣはＯ２タイプ、図３はＢタイプ，ＳＥタイプ又はＣタイプ、図４はＢＦタイプ、図５はＢ３タイプの場合の外観例をそれぞれ示す。
【００１８】
Ａタイプ，Ｏタイプ，Ｏ２タイプのＡＣ電源コンセントについては、図２Ａ〜図２Ｃに示すように、第２ケーシング２０が単体で用いられる。Ｂタイプ，ＳＥタイプ，ＣタイプのＡＣ電源コンセントについては、図３に示すように、第１ケーシング１０が単体で用いられる。ＢＦタイプ，Ｂ３タイプのＡＣ電源コンセントについては、図４，図５に示すように、第１ケーシング１０と第２ケーシング２０を組み合わせて使用される。
【００１９】
まず、第２ケーシング２０について説明する。
第２ケーシング２０は、薄い箱型の形状を有し、その１つの側面にソケット２１（図１Ｄ）が設けられ、当該１つの側面と対向する側面に一対の電極ピン２４Ａ，２４Ｂが設けられている（図２，図４，図５）。ソケット２１は、所定のタイプの電源プラグが備える一対の電極ピンを受け入れるための一対のメスコンタクト２１Ａ，２１Ｂを有する。一対の電極ピン２４Ａ，２４Ｂは、それぞれ細長い板状の形状を有しており、第２ケーシング２０の一側面から互いに平行に突出する。メスコンタクト２１Ａは電極ピン２４Ａと導通し、メスコンタクト２１Ｂは電極ピン２４Ｂと導通する。
【００２０】
一対の電極ピン２４Ａ，２４Ｂは、その突出方向と平行な回転軸において回動できるように、第２ケーシング２０においてそれぞれ回動自在に支持されている。そのため、一対の電極ピン２４Ａ，２４Ｂは、図２Ａ，図２Ｂに示すように、それぞれ面の傾きを調節できる。ＡタイプのＡＣ電源コンセントに使用される場合、一対の電極ピン２４Ａ，２４Ｂの面は互いに平行とされ、Ｏタイプ又はＯ２タイプのＡＣ電源コンセントに使用される場合、一対の電極ピン２４Ａ，２４Ｂの面は非平行に傾いた状態とされる。
【００２１】
また、第２ケーシング２０には、Ｏ２タイプのＡＣ電源コンセントにおいて使用されるアース差込口用ピン２７が折り畳み自在に設けられている（図２Ｃ）。アース差込口用ピン２７は、Ｏ２タイプのＡＣ電源コンセントのアース差込口に挿入してシャッターを開放させるためのピンである。アース差込口用ピン２７は、側面においてＬ型に曲がった板状の部材によって構成される。そのＬ型板状部材の一端は、第２ケーシング２０における一対の電極ピン２４Ａ，２４Ｂの中間において回転自在に支持されている。Ｏ２タイプのＡＣ電源コンセントの場合、アース差込口用ピン２７は、電極ピン２４Ａ，２４Ｂと平行に突き出た状態とされる。それ以外のＡＣ電源コンセントの場合、アース差込口用ピン２７は、第２ケーシング２０に設けられた溝の中に折り畳まれた状態とされる。
【００２２】
更に、第２ケーシング２０には、ＢＦタイプのＡＣ電源コンセントに使用されるアース差込口用ピン２５と、Ｂ３タイプのＡＣ電源コンセントに使用されるアース差込口用ピン２６とが、それぞれ折り畳み自在に設けられている（図２，図４，図５）。アース差込口用ピン２５，２６は、いずれも、アース差込口に挿入してシャッターを開放させるためのピンである。アース差込口用ピン２５は細長い板状の形状を有し、アース差込口用ピン２６は先端部が丸められた円柱状の形状を有する。
【００２３】
第２ケーシング２０の対向する２つの側面（ソケット２１と電極ピン２４Ａ，２４Ｂが設けられていない側面）には、それぞれ溝が形成される。一方の溝の中では、アース差込口用ピン２５の一端が回動自在に支持され、他方の溝の中では、アース差込口用ピン２６の一端が回動自在に支持される。アース差込口用ピン２５，２６は、それぞれ使用時に第２ケーシング２０の側面から突き出た状態とされ、未使用時には溝の中に折り畳まれた状態とされる。
【００２４】
第２ケーシング２０においてソケット２１が形成される側面部に近接した部分には、その側面部の縁と平行に伸びた溝２２，２３が形成される。この溝２２，２３は、第１ケーシング１０に形成された突条１６（図３）に嵌合可能である。溝２２又は溝２３と突条１６とが嵌合されることによって、第２ケーシング２０は第１ケーシング１０に着脱自在に装着された状態となる（図４，図５）。アース差込口用ピン２５が使用される場合、第２ケーシング２０の溝２３と第１ケーシング１０の突条１６とが嵌合され（図４）、アース差込口用ピン２６が使用される場合は、第２ケーシング２０の溝２２と第１ケーシング１０の突条１６とが嵌合される（図５）。第１ケーシング１０の突条１６は、本発明における装着部の一例である。
【００２５】
第１ケーシング１０の突条１６は、後述する長孔６（図１Ｂ，図７）が形成される面と対向する面に形成されている。そのため、長孔６を貫通した固定部材４の先端部４１（図１Ｂ，図７）は、第２ケーシング２０を第１ケーシング１０に装着させた状態でも第１ケーシング１０の外側に露出した状態となり、容易に操作をすることが可能である。長孔６を貫通する固定部材４の先端部４１は、ＢＦタイプのＡＣ電源コンセント（図４）において一対のシャッター開放ピン２Ａ，２Ｂを一対の電極ピン１Ａ，１Ｂとともに突出させる操作において使用される。
以上が、第２ケーシング２０の説明である。
【００２６】
次に、第１ケーシング１０について説明する。
第１ケーシング１０は、第２ケーシング２０と同様に薄い箱型の形状を有し、その１つの側面にソケット７（図６，図８）が設けられ、当該１つの側面と対向する側面に一対の電極ピン１Ａ，１Ｂ（図３）が設けられている。第１ケーシング１０の横幅は、ソケット７の側に比べて一対の電極ピン１Ａ，１Ｂの側が狭くなっている。ソケット７は、所定のタイプの電源プラグが備える一対の電極ピンを受け入れるための一対のメスコンタクト７Ａ，７Ｂ（図６，図８）を有する。一対の電極ピン１Ａ，１Ｂは、それぞれ先端部が丸みを帯びた円柱状の形状を有しており、第１ケーシング１０の一側面から互いに平行に突出している。メスコンタクト７Ａは電極ピン１Ａと導通し、メスコンタクト７Ｂは電極ピン１Ｂと導通する。
【００２７】
また、第１ケーシング１０には、一対の電極ピン１Ａ，１Ｂと平行に伸び、一対の電極ピン１Ａ，１Ｂの各々と近接して配置された一対のシャッター開放ピン２Ａ，２Ｂ（図４）が設けられている。一対のシャッター開放ピン２Ａ，２Ｂは、ＢＦタイプのＡＣ電源コンセントにおいて、一対の電極ピン差込口の両隅（互いに最も離れた隅）をシャッターの上から押すことにより、シャッターを開放させるためのピンである。この一対のシャッター開放ピン２Ａ，２Ｂは、第１ケーシング１０の内部において、第１可動部材３（図６，図７）にそれぞれ接続される。第１ケーシング１０の長孔６から突出した固定部材４の先端部４１（図７）を操作して第１可動部材３を移動させることにより、一対のシャッター開放ピン２Ａ，２Ｂを第１ケーシング１０の外部に突出した状態にしたり（図４）、第１ケーシング１０の内部に収容した状態にしたりすることができる（図３，図５）。
【００２８】
更に、第１ケーシング１０には、一対の電極ピン１Ａ，１Ｂをそれぞれ保持する一対の第２可動部材５Ａ，５Ｂが設けられている（図１，図８）。一対の第２可動部材５Ａ，５Ｂは、一対の電極ピン１Ａ，１Ｂの平行を保ったまま一対の電極ピン１Ａ，１Ｂの間隔を変化させる方向へ移動し得るように、第１ケーシング１０の内部において移動可能に配置されている。この一対の第２可動部材５Ａ，５Ｂを操作することにより、一対の電極ピン１Ａ，１Ｂの間隔をＡＣ電源コンセントのタイプ（Ｂ，ＳＥ，Ｃ，Ｂ３）に合わせて調節することができる（図３，図５）。
【００２９】
図６〜図８を参照して、第１ケーシング１０の内部の構造を説明する。
【００３０】
図６は、第１ケーシング１０の一部が取り外された状態を示す斜視図である。第１ケーシング１０は、側面の中央付近において２つの部材（ケース部材１１，１２）に分かれている（図３〜図５）。図６の斜視図は、その一方（ケース部材１２）を取り外した状態を示す。図６Ａにおいて、一対のシャッター開放ピン２Ａ，２Ｂは第１ケーシング１０の内部に収容されており、図６Ｂにおいて、一対のシャッター開放ピン２Ａ，２Ｂは第１ケーシング１０の外部に突出している。
【００３１】
図７は、第１ケーシング１０の内部の構造を示す断面図である。図７Ｂ，図７Ｃは、一対の電極ピン１Ａ，１Ｂと平行な面によってそれらの中央を切断した場合の断面の要部を示し、図７Ａは、図７ＢにおけるＡ−Ａ線の断面を示す。図７Ｂにおいて、一対のシャッター開放ピン２Ａ，２Ｂは第１ケーシング１０の外部に突出しており、図７Ｃにおいて、一対のシャッター開放ピン２Ａ，２Ｂは第１ケーシング１０の内部に収容されている。なお、図７Ｂ，図７Ｃの断面図では、理解を容易にするため、電極ピン１Ａの外形を点線で表し、その背後にあるシャッター開放ピン２Ａが電極ピン１Ａを透過して手前に見えるように図解している。
【００３２】
図８は、第１ケーシング１０の一部（ケース部材１２）が取り外された状態を示す平面図である。図８Ａは一対の電極ピン１Ａ，１Ｂの間隔が最大の場合を示し、図８Ｂは一対の電極ピン１Ａ，１Ｂの間隔が最小の場合を示す。なお、図８Ａ，図８Ｂの平面図では、理解を容易にするため、第２可動部材５Ａ，第２可動部材５Ｂをそれぞれ斜線で表している。
【００３３】
第１ケーシング１０の内部には、一対のシャッター開放ピン２Ａ，２Ｂに接続される第１可動部材３と、その第１可動部材３の位置を解除可能に固定する固定部材４が設けられている。例えば、シャッター開放ピン２Ａ，２Ｂと第１可動部材３は、適度な強度と絶縁性を有する合成樹脂などの材料によって一体に成形される。第１可動部材３は、一対の電極ピン１Ａ，１Ｂと平行な方向へ移動し得るように第１ケーシング１０の内部に配置される。そのため、第１可動部材３が第１ケーシング１０の内部を移動すると、一対のシャッター開放ピン２Ａ，２Ｂも一対の電極ピン１Ａ，１Ｂと平行な方向に移動する。固定部材４は、この一対のシャッター開放ピン２Ａ，２Ｂが第１ケーシング１０の外部に突出した状態となる位置（第１の位置）にある場合、及び、一対のシャッター開放ピン２Ａ，２Ｂが第１ケーシング１０の内部に収まった状態となる位置（第２の位置）にある場合において、第１可動部材３を第１ケーシング１０に解除可能に固定する。
【００３４】
第１可動部材３には、例えば図７Ａに示すように、固定部材４と嵌合する嵌合部３１が形成される。嵌合部３１は、第１可動部材３から離れる方向への固定部材４の移動を案内する。固定部材４は、例えば円柱状の形状を有しており、嵌合部３１には、その固定部材４と嵌合する円柱状の空洞が形成される。嵌合部３１は、一対の電極ピン１Ａ，１Ｂの間に位置しており、第１ケーシング１０に形成された一対の壁部１５Ａ，１５Ｂの間に挟まれている。一対の壁部１５Ａ，１５Ｂは、一対の電極ピン１Ａ，１Ｂの間に位置しており、嵌合部３１を両側から挟んだ状態で一対の電極ピン１Ａ，１Ｂと平行に伸びて形成される。一対の壁部１５Ａ，１５Ｂは、一対の電極ピン１Ａ，１Ｂと平行な方向における嵌合部３１の移動を案内する。
【００３５】
固定部材４は、第１可動部材３から最も離れた位置にある先端部４１と、その先端部４１に比べて幅広に形成された幅広部４２を有する。固定部材４の先端部４１は、第１ケーシング１０に形成された長孔６を貫通して、第１ケーシング１０の外部に露出した状態となる。長孔６は、第１ケーシング１０において一対の電極ピン１Ａ，１Ｂと平行な方向に伸びて形成されており、固定部材４の先端部４１の貫通を許容しつつ、幅広部４２の貫通を阻止する。
【００３６】
固定部材４の幅広部４２が当接する第１ケーシング１０の内面には、第１段差７１及び第２段差７２が形成される。第１段差７１は、第１可動部材３が第１の位置（一対のシャッター開放ピン２Ａ，２Ｂが第１ケーシング１０の外部に突出した状態となる位置）にある場合において固定部材４の幅広部４２と当接することにより（図７Ｂ）、第１可動部材３が第１の位置から第２の位置（一対のシャッター開放ピン２Ａ，２Ｂが第１ケーシング１０の内部に収まった状態となる位置）へ移動することを妨げる。他方、第２段差７２は、第１可動部材３が第２の位置にある場合において固定部材４の幅広部４２と当接することにより（図７Ｃ）、第１可動部材３が第２の位置から第１の位置へ移動することを妨げる。この第１段差７１と第２段差７２は、例えば、長孔６を挟んで対向する位置にそれぞれ形成される。第１段差７１と第２段差７２の間には、固定部材４の幅広部４２が接触しながら円滑に移動できる平らな面７３が設けられている。
【００３７】
また、第１ケーシング１０には、固定部材４を第１可動部材３から離れる方向に付勢する第１弾性部材８が設けられている。第１弾性部材８は、例えば、金属のスプリング（バネ）などを用いて構成される。第１弾性部材８は、先端部４１が長孔６を貫通する方向であって、幅広部４２が長孔６の縁に当接する方向に向かって固定部材４を付勢する。固定部材４の幅広部４２が第１段差７１や第２段差７２と当接している場合には、第１弾性部材８の付勢力に抗して固定部材４を第１可動部材３へ近づける方向に押し戻して、幅広部４２をこれらの段差から離間させない限り、第１可動部材３の位置は固定されたままとなる。
【００３８】
更に、第１ケーシング１０には、一対の電極ピン１Ａ，１Ｂそれぞれ保持する一対の第２可動部材５Ａ，５Ｂと、その第２可動部材５Ａ，５Ｂを互いに離間する方向へ付勢するスプリング等の第２弾性部材９が設けられている。一対の第２可動部材５Ａ，５Ｂは、一対の電極ピン１Ａ，１Ｂの平行を保ったまま一対の電極ピン１Ａ，１Ｂの間隔を変化させる方向へ移動し得るように、第１ケーシング１０の内部において移動可能に配置されている。
【００３９】
また、第１ケーシング１０には、第２弾性部材９の付勢力によって互いに離間する方向に移動する一対の電極ピン１Ａ，１Ｂの可動範囲を制限するために、一対の係止部１３Ａ，１３Ｂが形成される。一対の係止部１３Ａ，１３Ｂは、第２弾性部材９の付勢力を受けた一対の第２可動部材５Ａ，５Ｂを係止することによって、一対の電極ピン１Ａ，１Ｂの可動範囲を一定範囲内に制限する。一対の係止部１３Ａ，１３Ｂが一対の第２可動部材５Ａ，５Ｂを係止した状態において、一対の電極ピン１Ａ，１Ｂの間隔は最大となる（図８Ａ）。
【００４０】
図８の例において、係止部１３Ａは、第２可動部材５Ａの胴部５１Ａの貫通を許容するとともに、その胴部５１Ａより内側に位置する第２可動部材５Ａの幅広部５２Ａの貫通を阻止するように形成された貫通孔を有する。また、係止部１３Ｂは、第２可動部材５Ｂの胴部５１Ｂの貫通を許容するとともに、その胴部５１Ｂより内側に位置する第２可動部材５Ｂの幅広部５２Ｂの貫通を阻止するように形成された貫通孔を有する。
【００４１】
第２弾性部材９の付勢方向における一対の第２可動部材５Ａ，５Ｂの端部は、第１ケーシング１０に形成された一対の開口部１４Ａ，１４Ｂにおいて外部に露出する。この外部に露出した第２可動部材５Ａ，５Ｂの端部を、第２弾性部材９の付勢力に抗して第１ケーシング１０の内側方向へ押し戻すことにより、一対の電極ピン１Ａ，１Ｂの間隔が狭められる。
【００４２】
一対のシャッター開放ピン２Ａ，２Ｂは、一対の係止部１３Ａ，１３Ｂによって制限された一対の電極ピン１Ａ，１Ｂの可動範囲より外側に配置される。そのため、一対の電極ピン１Ａ，１Ｂの間隔が最大となる場合でも（図８Ａ）、一対のシャッター開放ピン２Ａ，２Ｂは一対の電極ピン１Ａ，１Ｂによって圧迫されることがなく、固定部材４の先端部４２の操作によって円滑に移動することができる。
【００４３】
以上説明したように、本実施形態に係るプラグ変換アダプタによれば、一対の電極ピン１Ａ，１Ｂと平行に伸びた一対のシャッター開放ピン２Ａ，２Ｂを第１ケーシング１０の外部に突出させた状態とし、一対のシャッター開放ピン２Ａ，２Ｂをその位置に固定させることができる。そのため、一対の電極ピン差込口の両隅（互いに最も離れた隅）をシャッターの上から押すことによりシャッターを開放させるタイプ（ＢＦタイプ等）のＡＣ電源コンセントであっても、一対のシャッター開放ピン２Ａ，２Ｂを利用して容易にシャッターを開くことができる。
【００４４】
また、本実施形態に係るプラグ変換アダプタによれば、一対のシャッター開放ピン２Ａ，２Ｂを第１ケーシング１０の内部に収めた状態とし、一対のシャッター開放ピン２Ａ，２Ｂをその位置に固定させることができる。そのため、シャッター開放ピン２Ａ，２Ｂが不要なＢＦタイプ以外のＡＣ電源コンセント（Ｂ，ＳＥ，Ｃ，Ｂ３等）にも、本実施形態に係るプラグ変換アダプタは使用可能である。
【００４５】
また、本実施形態に係るプラグ変換アダプタによれば、一対のシャッター開放ピン２Ａ，２Ｂが一対の電極ピン１Ａ，１Ｂと平行に移動して第１ケーシング１０の内部に収容されるため、一対のシャッター開放ピン２Ａ，２Ｂの収納スペースが小さくなり、サイズを小型化できる。
【００４６】
また、本実施形態に係るプラグ変換アダプタによれば、長孔６において固定部材４の先端部４１を第１ケーシング１０の外部に露出させていることから、固定部材４に複数の機能（第１可動部材３の固定機能、第１可動部材３の操作機能）を持たせることが可能となる。従って、これらの機能のために別個の部材を設ける場合に比べて部品点数を削減し、サイズを小型化できる。
【００４７】
また、本実施形態に係るプラグ変換アダプタによれば、第１ケーシング１０に設けた一対の壁部１５Ａ，１５Ｂによって嵌合部３１の移動を案内させていることから、一対のシャッター開放ピン２Ａ，２Ｂをより安定に移動させることができる。嵌合部３１に複数の機能（固定部材４の案内機能、第１可動部材３の案内機能）を持たせることにより、部品点数の削減とサイズの小型化を図ることができる。
【００４８】
また、本実施形態に係るプラグ変換アダプタによれば、一対の電極ピン１Ａ，１Ｂの間隔を一対の第２可動部材５Ａ，５Ｂの操作によって調節できるため、より多くのタイプのＡＣ電源コンセントに使用可能である。しかも、一対のシャッター開放ピン２Ａ，２Ｂが一対の電極ピン１Ａ，１Ｂの可動範囲より外側に配置されているため、一対の電極ピン１Ａ，１Ｂの状態に関わりなく一対のシャッター開放ピン２Ａ，２Ｂを円滑に移動させることができる。
【００４９】
以上、本発明の一実施形態について説明したが、本発明は上述した実施形態に限定されるものではなく、種々のバリエーションを含んでいる。すなわち、ピンや各部材、ケーシング等の形状、サイズ、間隔、配置等は一例であり、上記以外の様々な形態も本発明のバリエーションを構成し得る。
【符号の説明】
【００５０】
１Ａ，１Ｂ，２４Ａ，２４Ｂ…電極ピン、２Ａ，２Ｂ…シャッター開放ピン、３…第１可動部材、３１…嵌合部、４…固定部材、４１…先端部、４２…幅広部、５Ａ，５Ｂ…第２可動部材、５１Ａ，５１Ｂ…胴部、５２Ａ，５２Ｂ…幅広部、６…長孔、７…ソケット、７Ａ，７Ｂ…メスコンタクト、８…第１弾性部材、９…第２弾性部材、１０…第１ケーシング、１１，１２…ケース部材、１４Ａ，１４Ｂ…開口部、１６…突条、２０…第２ケーシング、２１…ソケット、２１Ａ，２１Ｂ…メスコンタクト、２２，２３…溝、２５〜２７…アース差込口用ピン、７１…第１段差、７２…第２段差。
【図１】
2015076209.tif 000003
【図２】
2015076209.tif 000004
【図３】
2015076209.tif 000005
【図４】
2015076209.tif 000006
【図５】
2015076209.tif 000007
【図６】
2015076209.tif 000008
【図７】
2015076209.tif 000009
【図８】
2015076209.tif 000010